(57)【特許請求の範囲】
【請求項１】
ＲＧＢ３原色をそれぞれ発光する３つの発光素子を一定順序で並設して１画素を構成し、この画素を第１の方向に並設して１ラインを構成し、このラインを前記第１の方向に直交する第２の方向に複数設けて、表示画面を構成する表示デバイスに表示を行わせるにあたり、
今回表示すべきラスタ画像を、前記第１の方向に３倍拡大したサブピクセルからなる３倍画像データを得るステップと、
ＲＧＢ３原色の輝度貢献度に合わせて重み付けした係数に基づき、前記３倍画像データをフィルタリング処理するステップと、
フィルタリング処理後の３倍画像データのサブピクセルを、１画素を構成する３つの発光素子に割り当てて、前記表示デバイスに表示を行わせるステップとを含むことを特徴とする表示方法。
【請求項２】
ＲＧＢ３原色をそれぞれ発光する３つの発光素子を一定順序で並設して１画素を構成し、この画素を第１の方向に並設して１ラインを構成し、このラインを前記第１の方向に直交する第２の方向に複数設けて、表示画面を構成する表示デバイスに表示を行わせるにあたり、
今回表示すべきラスタ画像を、前記第１の方向に３倍拡大したサブピクセルからなる３倍画像データを得るステップと、
ＲＧＢ３原色の輝度貢献度を無視した係数に基づき、前記３倍画像データをフィルタリング処理するステップと、
フィルタリング処理後の３倍画像データのサブピクセルを、ＲＧＢ３原色の輝度貢献度に合わせて重み付けした係数に基づき補正処理するステップと、
補正処理後の３倍画像データのサブピクセルを、１画素を構成する３つの発光素子に割り当てて、前記表示デバイスに表示を行わせるステップとを含むことを特徴とする表示方法。
【請求項３】
前記フィルタリング処理が一段であることを特徴とする請求項１または２記載の表示方法。
【請求項４】
前記フィルタリング処理は、注目サブピクセルを中心として、計３つのサブピクセルに対して行われることを特徴とする請求項１から３記載の表示方法。
【請求項５】
前記フィルタリング処理が二段であることを特徴とする請求項１または２記載の表示方法。
【請求項６】
前記フィルタリング処理は、注目サブピクセルを中心として、計５つのサブピクセルに対して行われることを特徴とする請求項１、２または５記載の表示方法。
【請求項７】
前記係数の少なくとも一部は、Ｒ：Ｇ：Ｂ＝３：６：１となるように設定されていることを特徴とする請求項１から６記載の表示方法。
【請求項８】
前記係数の少なくとも一部は、前記表示デバイスの特性を測定した測定値に基づいて設定されていることを特徴とする請求項１から７記載の表示方法。
【請求項９】
ＲＧＢ３原色をそれぞれ発光する３つの発光素子を一定順序で並設して１画素を構成し、この画素を第１の方向に並設して１ラインを構成し、このラインを前記第１の方向に直交する第２の方向に複数設けて、表示画面を構成する表示デバイスに表示を行わせるにあたり、
予め、入力される３倍画像の注目サブピクセルを中心として第１の方向に計ｎ個（ｎは３以上の奇数）のサブピクセルの値のパターンに従ったフィルタ結果を、フィルタ結果記憶手段に用意しておき、
今回表示すべき２値のラスタ画像を、前記第１の方向に３倍拡大したサブピクセルからなる３倍画像データを得るステップと、
前記フィルタ結果記憶手段を参照してフィルタリング処理を実行するステップと、
フィルタリング処理後の３倍画像データのサブピクセルを、１画素を構成する３つの発光素子に割り当てて、前記表示デバイスに表示を行わせるステップとを含み、
前記フィルタ結果記憶手段に格納されるフィルタ結果は、ＲＧＢ３原色の輝度貢献度に合わせて重み付けした係数に基づき決定されていることを特徴とする表示方法。
【請求項１０】
ｎ＝３である請求項９記載の表示方法。
【請求項１１】
ｎ＝５である請求項９記載の表示方法。
【請求項１２】
ｎ＝７である請求項９記載の表示方法。
【請求項１３】
入力されるラスタ画像が２値のデータであり、前記フィルタ結果記憶手段の値が８組あることを特徴とする請求項１０記載の表示方法。
【請求項１４】
入力されるラスタ画像が２値のデータであり、前記フィルタ結果記憶手段の値が３２組あることを特徴とする請求項１１記載の表示方法。
【請求項１５】
入力されるラスタ画像が２値のデータであり、前記フィルタ結果記憶手段の値が１２８組あることを特徴とする請求項１２記載の表示方法。
【請求項１６】
前記注目サブピクセルは、３サブピクセル分ずつ更新されることを特徴とする請求項１１、１２、１４、または１５記載の表示方法。
【請求項１７】
前記フィルタ結果記憶手段に格納される値は、前景色と背景色を、ブレンディングしたものであることを特徴とする請求項９から１６記載の表示方法。
【発明の詳細な説明】
【０００１】
【発明の属する技術分野】
本発明は、ＲＧＢ３原色の発光素子を並設した表示デバイスの表示方法に関するものである。
【０００２】
【従来の技術】
従来より、種々の表示デバイスを用いた表示装置が使用されている。このような表示装置のうち、例えば、カラーＬＣＤ、カラープラズマディスプレイなど、ＲＧＢ３原色をそれぞれ発光する３つの発光素子を一定の順序で並べて、１画素とし、この画素を第１の方向に並設して１ラインを構成し、このラインを第１の方向に直交する第２の方向に複数設けて、表示画面を構成するものがある。
【０００３】
さて例えば、携帯電話、モバイルコンピュータなどに搭載される、表示デバイスのように、表示画面が比較的狭く、細かな表示が行いにくい表示デバイスも多い。このような表示デバイスで、小さな文字や、写真、または複雑な絵等を表示しようとすると、画像の一部がつぶれて不鮮明になりやすい。
【０００４】
狭い画面における、表示の鮮明度を向上するため、インターネット上で、１画素がＲＧＢ３つの発光素子からなる点を利用した、サブピクセル表示に関する文献（題名：「Ｓｕｂ  Ｐｉｘｅｌ  Ｆｏｎｔ  Ｒｅｎｄｅｒｉｎｇ  Ｔｅｃｈｎｏｌｏｇｙ」）が公開されている。本発明者らは、２０００年６月１９日に、この文献を、サイト（http://grc.com）またはその配下からダウンロードして確認した。
【０００５】
次に、この技術を、図１６〜図２１を参照しながら、説明する。以下、表示する画像の例として、「Ａ」という英文字を取り上げる。
【０００６】
さて、図１６は、このように３つの発光素子から１画素を構成する場合の、１ラインを模式的に表示したものである。図１６における横方向（ＲＧＢ３原色の発光素子が並んでいる方向）を第１の方向といい、これに直交する縦方向を第２の方向という。
【０００７】
なお、発光素子の並び方自体は、ＲＧＢの順でない、他の並び方も考えられるが、並び方を変更しても、この従来技術及び本発明は、同様に適用できる。
【０００８】
そして、この１画素（３つの発光素子）を第１の方向に一列に並べて、１ラインが構成される。さらに、このラインを第２の方向に並べて、表示画面が構成される。
【０００９】
さて、このサブピクセル技術では、元画像は、例えば、図１７に示すような画像である。この例では、縦横７画素ずつの領域に、「Ａ」という文字を表示している。これに対して、サブピクセル表示を行うために、ＲＧＢそれぞれの発光素子を、１画素と見なした場合に、横方向に２１（＝７×３）画素、縦方向に７画素とった領域について、図１８に示すように、横方向に３倍の解像度を持つフォントを用意する。
【００１０】
そして、図１９に示すように、図１７の各画素（図１８ではなく図１７の画素）について、色を定める。ただ、このまま表示すると、色むらが発生するため、図２０（ａ）に示すような、係数による、フィルタリング処理を施す。図２０（ａ）では、輝度に対する係数を示しており、中心の注目サブピクセルでは、３／９倍、その隣のサブピクセルでは、２／９倍、さらにその隣のサブピクセルでは、１／９倍、というような係数を乗じて、各サブピクセルの輝度を調整する。
【００１１】
次に、図２１を参照しながら、これらの係数について、詳しく説明する。さて、図２１において、「＊」は、ＲＧＢ３原色の発光素子のいずれでもよいことを示している。そして、上から一段目から始まって、二段目、三段目に至る。三段目の中央が、中心の注目サブピクセルの係数である。
【００１２】
ここで、一段目から二段目に至る際、ＲＧＢ３原色の発光素子のいずれについても、エネルギーを均等に分配しており、つまり、一段目の係数は、１／３のみである。同様に、二段目から三段目に至る際にも、エネルギーを均等に分配しており、つまり、二段目の係数も、１／３のみである。
【００１３】
但し、中心サブピクセルは、一段目から、二段目の中心、左側、右側の、都合３つの経路を経て至ることができるので、中心サブピクセルの合成係数（一段、二段を合わせたもの）は、１／３×１／３＋１／３×１／３＋１／３×１／３＝３／９となる。また、中心サブピクセルの隣のサブピクセルでは、２つの経路を経て至ることができるため、合成係数は、１／３×１／３＋１／３×１／３＝２／９となる。さらに隣のサブピクセルでは、１つの経路しかないから、合成係数は、１／３×１／３＝１／９となる。
【００１４】
【発明が解決しようとする課題】
しかしながら、実際には、ＲＧＢ３原色の各発光素子では、それぞれ輝度に貢献する度合いが異なる。
【００１５】
したがって、従来の技術によって、サブピクセル表示のためのフィルタリング処理を行うと、色むらを十分除去することができず、表示品位が良好でないという問題点があった。
【００１６】
そこで本発明は、サブピクセル表示における色むらを除去でき、品位が高い表示を行える表示方法を提供することを目的とする。
【００１７】
さらに本発明は、品位が高いサブピクセル表示を高速化できる技術を提供することを目的とする。
【００１８】
【課題を解決するための手段】
本発明では、今回表示すべきラスタ画像を、第１の方向に３倍拡大したサブピクセルからなる３倍画像データを得るステップと、ＲＧＢ３原色の輝度貢献度に合わせて重み付けした係数に基づき、３倍画像データをフィルタリング処理するステップと、フィルタリング処理後の３倍画像データのサブピクセルを、１画素を構成する３つの発光素子に割り当てて、表示デバイスに表示を行わせるステップとを含む。
【００１９】
あるいは、本発明では、今回表示すべきラスタ画像を、第１の方向に３倍拡大したサブピクセルからなる３倍画像データを得るステップと、ＲＧＢ３原色の輝度貢献度を無視した係数に基づき、３倍画像データをフィルタリング処理するステップと、フィルタリング処理後の３倍画像データのサブピクセルを、ＲＧＢ３原色の輝度貢献度に合わせて重み付けした係数に基づき補正処理するステップと、補正処理後の３倍画像データのサブピクセルを、１画素を構成する３つの発光素子に割り当てて、表示デバイスに表示を行わせるステップとを含む。
【００２０】
これらの構成により、フィルタリング処理自体又はフィルタリング処理後の補正処理によって、ＲＧＢ３原色の輝度貢献度に合わせて、サブピクセル表示を行えるため、色むらを十分抑制し、高品位なサブピクセル表示を実現できる。
【００２１】
あるいは、本発明では、今回表示すべき２値のラスタ画像を、前記第１の方向に３倍拡大したサブピクセルからなる３倍画像データを得るステップと、入力される３倍画像の注目サブピクセルと、その左右のサブピクセルの値のパターンに従ったフィルタ結果を保持するフィルタ結果記憶手段を備え、フィルタ結果記憶手段を参照することでフィルタリング処理を実行するステップと、フィルタリング処理後の３倍画像データのサブピクセルを、１画素を構成する３つの発光素子に割り当てて、前記表示デバイスに表示を行わせるステップとを含む。
【００２２】
あるいは、本発明では、予め、入力される３倍画像の注目サブピクセルを中心として第１の方向に計ｎ個（ｎは自然数）のサブピクセルの値のパターンに従ったフィルタ結果を、フィルタ結果記憶手段に用意しておき、今回表示すべき２値のラスタ画像を、第１の方向に３倍拡大したサブピクセルからなる３倍画像データを得るステップと、フィルタ結果記憶手段を参照してフィルタリング処理を実行するステップと、フィルタリング処理後の３倍画像データのサブピクセルを、１画素を構成する３つの発光素子に割り当てて、表示デバイスに表示を行わせるステップとを含む。
【００２３】
これらの構成により、高品位なサブピクセル表示を高速化できる。
【００２４】
あるいは、本発明では、注目サブピクセルを、１ピクセル分毎に更新する。
【００２５】
この構成により、注目サブピクセルを、サブピクセル毎に更新する場合に比べ、処理量を約３分の１に削減でき、一層高速化できる。
【００２６】
あるいは、本発明では、フィルタ結果記憶手段に格納される値は、前景色と背景色のうち少なくとも一方を、ブレンディングしたものである。
【００２７】
この構成により、前景色又は背景色のいずれかがカラーである場合にも、対応できる。
【００２８】
【発明の実施の形態】
請求項１記載の表示方法では、ＲＧＢ３原色をそれぞれ発光する３つの発光素子を一定順序で並設して１画素を構成し、この画素を第１の方向に並設して１ラインを構成し、このラインを第１の方向に直交する第２の方向に複数設けて、表示画面を構成する表示デバイスに表示を行わせるにあたり、今回表示すべきラスタ画像を、第１の方向に３倍拡大したサブピクセルからなる３倍画像データを得るステップと、ＲＧＢ３原色の輝度貢献度に合わせて重み付けした係数に基づき、３倍画像データをフィルタリング処理するステップと、フィルタリング処理後の３倍画像データのサブピクセルを、１画素を構成する３つの発光素子に割り当てて、表示デバイスに表示を行わせるステップとを含む。
【００２９】
請求項２記載の表示方法では、ＲＧＢ３原色をそれぞれ発光する３つの発光素子を一定順序で並設して１画素を構成し、この画素を第１の方向に並設して１ラインを構成し、このラインを第１の方向に直交する第２の方向に複数設けて、表示画面を構成する表示デバイスに表示を行わせるにあたり、今回表示すべきラスタ画像を、第１の方向に３倍拡大したサブピクセルからなる３倍画像データを得るステップと、ＲＧＢ３原色の輝度貢献度を無視した係数に基づき、３倍画像データをフィルタリング処理するステップと、フィルタリング処理後の３倍画像データのサブピクセルを、ＲＧＢ３原色の輝度貢献度に合わせて重み付けした係数に基づき補正処理するステップと、補正処理後の３倍画像データのサブピクセルを、１画素を構成する３つの発光素子に割り当てて、表示デバイスに表示を行わせるステップとを含む。
【００３０】
これらの構成により、ＲＧＢ３原色の輝度貢献度を反映させた、サブピクセル表示を行え、従来技術に比べ、色むらを一層低減して、サブピクセル表示の品位を向上できる。
【００３１】
請求項３記載の表示方法では、フィルタリング処理が一段である。
【００３２】
この構成により、ＲＧＢ３原色の輝度貢献度を反映しているから、一段のフィルタリング処理でも十分色むらを抑制できるし、しかも、簡易な処理により、処理速度を向上できる。
【００３３】
請求項５記載の表示方法では、フィルタリング処理が二段である。
【００３４】
この構成により、ＲＧＢ３原色の輝度貢献度が二段にわたって反映され、緻密なフィルタリング処理を行えるため、一層色むらを抑制して、表示品位を向上できる。
【００３５】
請求項７記載の表示方法では、係数の少なくとも一部は、Ｒ：Ｇ：Ｂ＝３：６：１となるように設定されている。
【００３６】
この構成により、実態に合わせた輝度調整を行える。
【００３７】
請求項８記載の表示方法では、係数の少なくとも一部は、前記表示デバイスの特性を測定した測定値に基づいて設定されている。
【００３８】
この構成により、表示デバイスの固有特性を、フィルタリング処理に反映できる。
【００３９】
請求項４記載の表示方法では、フィルタリング処理は、注目サブピクセルを中心として、計３つのサブピクセルに対して行われる。
【００４０】
この構成により、ＲＧＢ３原色の輝度貢献度を反映しているから、計３つのサブピクセルに対するフィルタリング処理でも十分色むらを抑制できるし、しかも、簡易な処理により、処理速度を向上できる。
【００４１】
請求項６記載の表示方法では、フィルタリング処理は、注目サブピクセルを中心として、計５つのサブピクセルに対して行われる。
【００４２】
この構成により、ＲＧＢ３原色の輝度貢献度が広い範囲にわたって反映され、緻密なフィルタリング処理を行えるため、一層色むらを抑制して、表示品位を向上できる。
【００４３】
請求項９記載の表示方法では、予め、入力される３倍画像の注目サブピクセルを中心として第１の方向に計ｎ個（ｎは３以上の奇数）のサブピクセルの値のパターンに従ったフィルタ結果を、フィルタ結果記憶手段に用意しておき、今回表示すべき２値のラスタ画像を、第１の方向に３倍拡大したサブピクセルからなる３倍画像データを得るステップと、フィルタ結果記憶手段を参照してフィルタリング処理を実行するステップと、フィルタリング処理後の３倍画像データのサブピクセルを、１画素を構成する３つの発光素子に割り当てて、表示デバイスに表示を行わせるステップとを含み、フィルタ結果記憶手段に格納されるフィルタ結果は、ＲＧＢ３原色の輝度貢献度に合わせて重み付けした係数に基づき決定されている。
【００４４】
この構成により、サブピクセル表示に必要なフィルタリング処理を、フィルタ結果記憶手段の参照により行うことができ、サブピクセル表示を高速に行うことができる。また、ほどんど記憶手段の参照のみによって、処理を完了でき大幅な高速化ができ、しかも、ＲＧＢ３原色の輝度貢献度を反映させた、サブピクセル表示を行え、従来技術に比べ、色むらを一層低減して、サブピクセル表示の品位を向上できる。
【００４５】
請求項１０記載の表示方法では、フィルタ結果記憶手段の参照は、注目サブピクセルを中心に計３つのサブピクセルの値により行われる。
【００４６】
この構成により、フィルタ結果記憶手段の参照によるフィルタリング処理の品質を、注目サブピクセルを中心とした計３つのフィルタリング処理と、同じ品質に保つことができる。特に、低階調の画像を表示する場合、色むらが目立ちにくいため、これでも実用上十分であり、しかも参照するフィルタ結果の量を少なくして、記憶領域の節約と処理の高速化の両方を、図ることができる。
【００４７】
請求項１１記載の表示方法では、フィルタ結果記憶手段の参照は、注目サブピクセルを中心に計５つのサブピクセルの値により行われ、請求項１２では、注目サブピクセルを中心に計７つのサブピクセルの値により、参照が行われる。
【００４８】
これらの構成により、フィルタ結果記憶手段の参照によるフィルタリング処理の品質を、注目サブピクセルを中心とした、計５つの、あるいは、計７つの、フィルタリング処理と、同じ品質に保つことができる。特に、色むらが目立ちやすい高階調の画像表示に対応しやすくなる。
【００４９】
請求項１３記載の表示方法では、入力されるラスタ画像が２値のデータであり、注目サブピクセルを中心として計３個のサブピクセルは、２の３乗通りの状態を持ちうるから、フィルタ結果記憶手段の値が８組で、必要十分になる。
【００５０】
請求項１４記載の表示方法では、入力されるラスタ画像が２値のデータであり、注目サブピクセルを中心として５個のサブピクセルは、２の５乗通りの状態を持ちうるから、フィルタ結果記憶手段の値が３２組で、必要十分になる。また、請求１４記載の表示方法では、注目サブピクセルを中心として７個のサブピクセルは、２の７乗通りの状態を持ちうるから、フィルタ結果記憶手段の値が１２８組で、必要十分になる。
【００５１】
これらの構成により、フィルタ結果記憶手段に格納するフィルタリング結果の数を少なくすることができ、記憶領域を節約できるとともに、演算量を大幅に削減して、高速なフィルタ処理を行える。
【００５２】
【００５３】
【００５４】
請求項１６記載の表示方法では、注目サブピクセルは、３サブピクセル分ずつ更新される。
【００５５】
この構成により、フィルタリング処理を、１画素毎に一括して実施でき、１サブピクセル毎に更新する場合に比べ、約３分の１の処理量で済み、一層高速化できる。
【００５６】
請求項１７記載の表示方法では、フィルタ結果記憶手段に格納される値は、前景色と背景色を、ブレンディングしたものである。
【００５７】
この構成により、前景色又は背景色の少なくとも一方がカラー表示される場合にも、対応できる。
【００５８】
以下図面を参照しながら、本発明の実施の形態を説明する。図１は、本発明の一実施の形態における表示装置のブロック図である。
【００５９】
図１において、表示情報入力手段１は、表示情報を入力する。また、表示制御手段２は、図１の各要素を制御して、サブピクセル表示のために、表示画像記憶手段７（ＶＲＡＭなど）が記憶する表示画像に基づいて、表示デバイス３に表示を行わせる。
【００６０】
表示デバイス３は、ＲＧＢ３原色をそれぞれ発光する３つの発光素子を一定順序で並設して１画素を構成し、この画素を第１の方向に並設して１ラインを構成し、このラインを第１の方向に直交する第２の方向に複数設けて、表示画面を構成してなる。具体的には、カラーＬＣＤ、カラープラズマディスプレイなどと、これらの各発光素子をドライブするドライバからなる。
【００６１】
３倍画像データ記憶手段４は、表示情報入力手段１から入力されうる表示情報に対応する３倍画像（ＲＧＢ３つの発光素子に対応するサブピクセル画像）を記憶する。
【００６２】
フィルタリング処理手段５は、３倍画像データ記憶手段４が記憶する３倍画像に対し、フィルタリング処理を行い、この処理結果に得られた画像を表示画像記憶手段７に格納する。ここで、図２に示す実施の形態１では、フィルタリング処理手段５は、ＲＧＢ各発光素子の輝度貢献度を反映した係数で、フィルタリング処理を行うが、実施の形態２では、輝度貢献度を無視した係数でフィルタリング処理を行う。
【００６３】
次に、図４〜図７を参照しながら、実施の形態１におけるフィルタリング処理又は実施の形態２における補正処理で用いられる係数について説明する。
【００６４】
まず、一段のみの係数は、図４に示すようになる。ここで、ＲＧＢの３つの発光素子（サブピクセル）から構成される１画素において、輝度貢献度は、Ｒ：Ｇ：Ｂ＝３：６：１である。
【００６５】
そこで、図４（ａ）に示すように、注目サブピクセルがＲであるとき、その左はＢ、その右はＧであるから、左（一つ前、ｎ−１）のＢサブピクセルに１／１０，注目サブピクセルのＲサブピクセルに３／１０，右（一つ先、ｎ＋１）のＧサブピクセルに６／１０，というようにエネルギー分配する。
【００６６】
したがって、各値Ｖに添え字を付して表現すると、輝度貢献度反映後の値Ｖ（ｎ）＝（１／１０）×Ｖｎ−１＋（３／１０）×Ｖｎ＋（６／１０）×Ｖｎ＋１となる。
【００６７】
同様に、注目サブピクセルがＧであるときは、図４（ｂ）のようになり、注目サブピクセルがＢであるとき、図４（ｃ）のようになる。
【００６８】
ここで、図４を見れば明らかなように、一段のみの係数を用いると、この係数は、注目サブピクセルを中心として計３つのサブピクセルに対して適用される。
【００６９】
次に、二段の係数について、図５を参照しながら説明する。図５の例では、一段目については、図４と全く同じである。そして、注目サブピクセルがＲであるとき、図５（ａ）に示すように、枝分かれしたＢサブピクセルに着目すると、その下段は、ＧＢＲの順となるので、それぞれ左から順に、６／１０，１／１０，３／１０となるように、エネルギーを分配する。
【００７０】
同様に、枝分かれしたＲサブピクセルについては、ＢＲＧの順となるので、それぞれ左から順に、１／１０，３／１０，６／１０となるように、エネルギーを分配する。また、枝分かれしたＧサブピクセルについては、ＲＧＢの順となるので、それぞれ左から順に、３／１０，６／１０，１／１０となるように、エネルギーを分配する。
【００７１】
その結果、図５（ａ）に示す階層が形成される。さて、図５（ａ）の中心のＲサブピクセル（注目サブピクセル、ｎ）に着目すると、この注目サブピクセルに至るには、上段のＢ、Ｒ、Ｇサブピクセルを経由する３つの経路がある。したがって、注目サブピクセルの値Ｖｎについての係数は、（１／１０）×（３／１０）＋（３／１０）×（３／１０）＋（６／１０）×（３／１０）＝３０／１００となる。
【００７２】
最下段の他のサブピクセルについても、同様に係数を求めると、輝度貢献度反映後の値Ｖ（ｎ）＝（６／１００）×Ｖｎ−２＋（４／１００）×Ｖｎ−１＋（３０／１００）×Ｖｎ＋（５４／１００）×Ｖｎ＋１＋（６／１００）×Ｖｎ＋２となる。
【００７３】
同様に、注目サブピクセルがＧであるときは、図５（ｂ）のようになり、注目サブピクセルがＢであるとき、図５（ｃ）のようになる。
【００７４】
ここで、図５を見れば明らかなように、二段の係数を用いると、この係数は、注目サブピクセルを中心として計５つのサブピクセルに対して適用される。
【００７５】
また、以上の変形例として、図６（二段目を均等（１／３）分配）、図７（一段目を均等（１／３）分配）をあげることができる。このように、一部を均等分配しても、他の段が輝度貢献度を反映した係数であれば、実用上十分な場合が多い。さらに、三段以上に拡張しても、本発明に包含される。
【００７６】
また、以上において、Ｒ：Ｇ：Ｂ＝３：６：１とする係数を用いたが、これにかえて、表示デバイスの特性を測定し、その測定値に基づいて、係数を設定しても良い。こうすると、表示デバイスの固有の特性を、フィルタリング処理に反映でき、一層、表示品位を向上できる。
【００７７】
以上の説明をふまえて、次に、図２を参照しながら、本発明の実施の形態１における表示方法の流れを説明する。まず、ステップ１において、表示情報入力手段１に表示情報が入力される。
【００７８】
すると、３倍画像データ記憶手段４から、入力した表示情報に対応する３倍画像（サブピクセル画像）が取り出される（ステップ２）。この画像は、典型的には、ラスタフォントデータである。
【００７９】
次に、ステップ３にて、表示制御手段２は、取得した３倍画像における、注目サブピクセルを左上の初期位置に初期化し、ステップ４にて、フィルタリング処理手段５が、この注目サブピクセルについて、輝度貢献度を反映した係数で、フィルタリング処理を行う。ここで、この係数は、図４から図７のいずれの係数を用いても良い。
【００８０】
フィルタリング処理が済んだら、フィルタリング処理手段５は、処理後の画像データを表示制御手段２へ返し、表示制御手段２は、受け取ったデータを表示画像記憶手段７へ格納する（ステップ５）。
【００８１】
表示制御手段２は、ステップ４からステップ５までの処理を、注目サブピクセルを更新しながら（ステップ７）、全注目サブピクセルについての処理が完了するまで、繰り返し行う（ステップ６）。
【００８２】
この繰り返し処理が終了すると、表示制御手段２は、表示画像記憶手段７に格納された表示画像に基づき、表示デバイス３の、１画素を構成する３つの発光素子に、この３倍パターンを割り当てて（サブピクセル表示で）、表示デバイス３に表示を行わせる（ステップ８）。
【００８３】
そして、表示制御手段２は、表示終了でなければ（ステップ９）、ステップ１へ処理を戻す。
【００８４】
次に、図３を参照しながら、本発明の実施の形態２における表示方法の流れを説明する。まず、ステップ１１において、表示情報入力手段１に表示情報が入力される。
【００８５】
すると、３倍画像データ記憶手段４から、入力した表示情報に対応する３倍画像（サブピクセル画像）が取り出される（ステップ１２）。
【００８６】
次に、ステップ１３にて、表示制御手段２は、取得した３倍画像における、注目サブピクセルを左上の初期位置に初期化し、ステップ１４にて、フィルタリング処理手段５が、この注目サブピクセルについて、輝度貢献度を無視した係数で、フィルタリング処理を行う。
【００８７】
フィルタリング処理が済んだら、フィルタリング処理手段５は、処理後の画像データを表示制御手段２へ返し、表示制御手段２は、受け取ったデータを表示画像記憶手段７へ格納する（ステップ１５）。
【００８８】
表示制御手段２は、ステップ１４からステップ１５までの処理を、注目サブピクセルを更新しながら（ステップ１７）、全注目サブピクセルについての処理が完了するまで、繰り返し行う（ステップ１６）。
【００８９】
この繰り返し処理が終了すると、表示制御手段２は、補正手段６に、表示画像記憶手段７の３倍画像を、補正させる（ステップ１８）。補正手段６は、全てのサブピクセルについて、輝度貢献度を反映した（図４から図７のいずれかの）係数で、フィルタリング処理を行う。
【００９０】
補正が終了すると、表示制御手段２は、表示画像記憶手段７に格納された表示画像に基づき、表示デバイス３の、１画素を構成する３つの発光素子に、この３倍パターンを割り当てて（サブピクセル表示で）、表示デバイス３に表示を行わせる（ステップ１９）。
【００９１】
そして、表示制御手段２は、表示終了でなければ（ステップ２０）、ステップ１へ処理を戻す。
【００９２】
次に、図８〜図１１を参照しながら、実施の形態３について説明する。ここで、上述した、実施の形態１，２では、フィルタリング処理や補正処理を、演算によって実施していたが、これでは繰り返し計算が多く、処理負担が軽いとはいえない。
【００９３】
そこで、実施の形態３では、演算による処理に代えて、予め処理結果を格納した記憶手段の参照により、演算による処理と等価な処理を実現する。これにより、処理負担を大幅に削減し、高速化を実現できる。また、本形態では、典型的には、２値のラスタ画像を表示するが、グレースケール画像を適当な閾値で２値化したものも表示できる。
【００９４】
さて、図８は、本発明の実施の形態３における表示装置のブロック図である。図中、図１と同様の構成要素については、同一符号を付すことにより、説明を省略する。
【００９５】
本形態では、上述したように、フィルタリング処理手段８はフィルタリング処理や図１の補正手段６が行っていた、演算は行わない。その代わり、フィルタ結果記憶手段９を設け、この演算の結果を、表示情報の入力に先立って、フィルタ結果記憶手段９に格納しておく。
【００９６】
そして、表示情報の入力後には、フィルタリング処理手段８は、３倍画像データ記憶手段４から注目サブピクセルを中心として、第１の方向に計ｎ個（ここでは、ｎ＝３又はｎ＝５を取り上げる）の各サブピクセルのｏｎ／ｏｆｆ状態から、アドレスを生成し、フィルタ結果記憶手段９を参照して、これに対応する処理結果を得るようにする。
【００９７】
まず、図９を用いて、ｎ＝５の場合を説明する。図９（ａ）に示すように、フィルタリング処理手段８は、３倍画像データ記憶手段４に記憶されているラスタ画像（サブピクセル精度）において、注目サブピクセルを定める。そして、この注目サブピクセルを中心として、第１の方向に計５サブピクセル分のｏｎ／ｏｆｆ情報（ビット列）を取得する。なお、本例では、ｏｎを「１」（図では黒）、ｏｆｆを「０」（図では白）で表現するが、適宜変更してもよい。
【００９８】
つまり、注目サブピクセルを中心に、５つのサブピクセルのビット列を取得すると、ただちにその値（２進数）がアドレスとなる。ここで、図９（ａ）に示している状態では、「００１１０」なるアドレスが生成される。
【００９９】
勿論、実装の都合上、適宜オフセットアドレスを設定してもよい。なお以下、説明を簡単にするため、オフセットアドレスは、ゼロ（ない）とする。
【０１００】
また、輝度貢献度を考慮する場合と、考慮しない場合は、上述したように処理の式が異なる。勿論、表示品位を向上させるには、考慮することが望ましい。
【０１０１】
ここで、輝度貢献度を考慮する場合には、図５〜図７の説明で述べたように、注目サブピクセルが、ＲＧＢいずれの発光素子に対応するかで、式が異なる。したがって、この場合、フィルタリング処理手段８は、注目サブピクセルがどの発光素子かを調べておく。そして、図９（ａ）の右側に示すように、アドレス「０００００」〜「１１１１１」の３２個分、ＲＧＢそれぞれの発光素子についての、処理結果をフィルタ結果記憶手段９に格納しておく。ここで、フィルタ結果記憶手段９は、典型的には、メモリで構成され、図示しているように、データは、テーブルの形態で用意されるが、高速なアクセスを保証できる限り、リスト、その他の記憶形態で用意してもよい。
【０１０２】
一方、輝度貢献度を考慮しないときは、図１７に示したように、注目サブピクセルがＲＧＢいずれの発光素子に対応しても、式は１通りであるから、フィルタリング処理手段８は上記５つのサブピクセルからのアドレスのみで、処理結果を得ることができるようにすればよい。但し、実施の形態２のように、輝度貢献度を考慮しないときは、表示品位を向上するため、別途、補正を行うことが望ましい。
【０１０３】
次に、図９（ｂ）〜（ｅ）を用いて、フィルタリング処理手段８の内容を、より具体的に説明する。なお、以下の数値は、代表例にすぎず、種々変更できることはいうまでもない。
【０１０４】
まず、図１７に示すように、輝度貢献度を考慮しないときは、図９（ｂ）のように、「０００００」〜「１１１１１」の各アドレスごとに、１つの処理結果のみを格納する。
【０１０５】
次に、輝度貢献度を考慮するときは、図９（ｃ）〜（ｅ）のように、「０００００」〜「１１１１１」の各アドレスごとに、３つの処理結果（注目サブピクセルがＲＧＢの場合に対応）を格納する。因みに、図９（ｃ）は図５の関係をテーブル化したものであり、図９（ｄ）は図６に、図９（ｅ）は図７に、それぞれ対応する。
【０１０６】
次に、図１０を用いて、ｎ＝３の場合を説明する。図１０（ａ）に示すように、フィルタリング処理手段８は、３倍画像データ記憶手段４に記憶されているラスタ画像（サブピクセル精度）において、注目サブピクセルを定める。そして、この注目サブピクセルを中心として、第１の方向に計３サブピクセル分のｏｎ／ｏｆｆ情報（ビット列）を取得する。なお、本例では、ｏｎを「１」（図では黒）、ｏｆｆを「０」（図では白）で表現するが、適宜変更してもよい。
【０１０７】
つまり、注目サブピクセルを中心に、３つのサブピクセルのビット列を取得すると、ただちにその値（２進数）がアドレスとなる。ここで、図１０（ａ）に示している状態では、「０１０」なるアドレスが生成される。
【０１０８】
また、輝度貢献度を考慮する場合と、考慮しない場合は、上述したように処理の式が異なる。勿論、表示品位を向上させるには、考慮することが望ましい。
【０１０９】
ここで、輝度貢献度を考慮する場合には、図５〜図７の説明で述べたように、注目サブピクセルが、ＲＧＢいずれの発光素子に対応するかで、式が異なる。したがって、この場合、フィルタリング処理手段８は、注目サブピクセルがどの発光素子かを調べておく。そして、図１０（ａ）の右側に示すように、アドレス「０００」〜「１１１」の８個分、ＲＧＢそれぞれの発光素子についての、処理結果をフィルタ結果記憶手段９に格納しておく。
【０１１０】
一方、輝度貢献度を考慮しないときは、図１７に示したように、注目サブピクセルがＲＧＢいずれの発光素子に対応しても、式は１通りであるから、フィルタリング処理手段８は上記５つのサブピクセルからのアドレスのみで、処理結果を得ることができるようにすればよい。但し、実施の形態２のように、輝度貢献度を考慮しないときは、表示品位を向上するため、別途、補正を行うことが望ましい。
【０１１１】
次に、図１０（ｂ）〜（ｃ）を用いて、フィルタリング処理手段８の内容を、より具体的に説明する。なお、以下の数値は、代表例にすぎず、種々変更できることはいうまでもない。
【０１１２】
まず、図１７に示すように、輝度貢献度を考慮しないときは、図１０（ｂ）のように、「０００」〜「１１１」の各アドレスごとに、１つの処理結果のみを格納する。
【０１１３】
次に、輝度貢献度を考慮するときは、図１０（ｃ）のように、「０００」〜「１１１」の各アドレスごとに、３つの処理結果（注目サブピクセルがＲＧＢの場合に対応）を格納する。因みに、図１０（ｃ）は図４の関係をテーブル化したものである。
【０１１４】
次に、図１１を用いて、本形態の表示方法の流れを説明する。まず、ステップ２１〜２３では、図１のステップ１〜３と同様の処理が行われる。
【０１１５】
次に、ステップ２４では、フィルタリング処理手段８が３倍画像データ記憶手段４から注目サブピクセルを中心とした計ｎ（ｎ＝３，５）個のサブピクセルのビット列を取得し、これをアドレスとする。
【０１１６】
そして、ステップ２５では、フィルタ結果記憶手段９にある、上述したテーブルを参照し、このアドレスの処理結果を得る。このとき、輝度貢献度を加味するときは、フィルタリング処理手段８は、注目サブピクセルがＲＧＢのいずれに対応するかも、検討する。
【０１１７】
そして、ステップ２６〜３０では、図１のステップ５〜９と同様の処理が行われる。
【０１１８】
以上の説明により、フィルタ結果記憶手段９の参照によって、実施の形態１，２と等価な処理が実現できることが理解されよう。しかも、こうすると、演算量を大幅に削減し、処理を格段に高速化できるのである。
【０１１９】
次に、図１２〜図１４を参照しながら、実施の形態４について説明する。実施の形態４は、実施の形態３をさらに発展させたものであり、より処理を高速化できる。なお、実施の形態４における構成要素は、実施の形態３と同様であり、図示は省略する。
【０１２０】
但し、実施の形態４では、実施の形態３に対し、フィルタリング処理手段８の処理と、フィルタ結果記憶手段９の記憶内容が異なる。また、実施の形態３までの説明では、処理対象を１サブピクセル毎に、更新していたが、実施の形態４では、１画素毎、つまり、更新する。そこで、これらの相違点について、以下、第１例及び第２例を示しつつ、説明する。
【０１２１】
「第１例」
本例では、図１２に示すように、フィルタリング処理手段８は、フィルタ結果記憶手段９を参照し、処理を行う。
【０１２２】
ここで、ある時点において、注目画素（３つのサブピクセルを１つにまとめて取り扱う）が、図１２の矢印の位置にあるものとする。図１２において、ａｂｃｄ・・・なる１つの文字は、対応するサブピクセルの画像データである。
【０１２３】
そして、このとき、３倍画像データ記憶手段４における、注目画素の画像データは、「ｄｅｆ」であり、第１の方向において、「ｄｅｆ」なる画像データの、１つ前の注目画素の画像データは、「ａｂｃ」であり、１つ後の注目画素の画像データは、「ｇｈｉ」であり、その後、「ｊｋｌ・・・」なる画像データが続いているものとする。
【０１２４】
第１例では、現在の注目画素の画像データ「ｄｅｆ」と、その２サブピクセル前の画像データ「ｂｃ」と、その２サブピクセル後の画像データ「ｇｈ」とを用いる。つまり、注目画素を中心にして、第１の方向について、計７サブピクセルの画像データを用いる。
【０１２５】
そして、フィルタリング処理手段８は、これらの７サブピクセルの画像データ「ｂｃｄｅｆｇｈ」を取り出し、各データを「０」又は「１」のビットとする。
【０１２６】
より詳しくは、フィルタリング処理手段８は、３倍画像データが２値画像であるときは、この「ｂｃｄｅｆｇｈ」なるデータは、元々「０」又は「１」のビット列であるから、各サブピクセルの画像データを、そのまま又はビット反転させて、用いる。
【０１２７】
一方、３倍画像データが多値画像であるときは、フィルタリング処理手段８は、予め設定された閾値を用いて、多値画像から２値のビット列を生成する。
【０１２８】
いずれにしても、７桁の２値のビット列が生成される。そして、フィルタリング処理手段８は、このビット列を、実施の形態３と同様に、７ビットのアドレスとして使用する。
【０１２９】
これに対応するため、第１例では、図１２に示しているように、７ビットのアドレスに対応して、ＲＧＢ値が定められた、テーブルが用意されており、このテーブルがフィルタ結果記憶手段９に格納されている。ここで、７ビットアドレスによると、ＲＧＢ値の組み合わせは、１２８個で済む。
【０１３０】
つまり、フィルタリング処理手段８は、注目画素を中心にして、７ビットのビット列を生成し、これをアドレスとして、フィルタ結果記憶手段９のテーブルを参照すれば、直ちに、注目画素のＲＧＢ値「ＲＧＢ」を得ることができる。そして、このＲＧＢ値「ＲＧＢ」を、表示画像記憶手段７の、該当領域へ書き込むのである。
【０１３１】
この書き込みが終了したら、フィルタリング処理手段８は、注目画素を１画素（３サブピクセル）分、更新する。つまり、図１２に示す状態では、図１２の横矢印で示すように、３サブピクセル分だけ、注目画素がシフトし、次の注目画素では、「ｅｆｇｈｉｊｋ」という画像データに基づいて、次のＲＧＢ値「Ｒ’Ｇ’Ｂ’」が、次の画素に対応する領域へ書き込まれる。
【０１３２】
このようにすると、フィルタ処理を、１画素（３サブピクセル）単位で、まとめて、行うことができ、アドレス参照とテーブル検索の回数を削減して、一層、高速な処理を実現できる。
【０１３３】
「第２例」
本例では、図１３に示すように、フィルタリング処理手段８は、フィルタ結果記憶手段９を参照し、処理を行う。
【０１３４】
ここで、ある時点において、注目画素（３つのサブピクセルを１つにまとめて取り扱う）が、図１３の矢印の位置にあるものとする。図１３において、ａｂｃｄ・・・なる１つの文字は、対応するサブピクセルの画像データである。
【０１３５】
そして、このとき、図１２と同様に、３倍画像データ記憶手段４における、注目画素の画像データは、「ｄｅｆ」であり、第１の方向において、「ｄｅｆ」なる画像データの、１つ前の注目画素の画像データは、「ａｂｃ」であり、１つ後の注目画素の画像データは、「ｇｈｉ」であり、その後、「ｊｋｌ・・・」なる画像データが続いているものとする。
【０１３６】
ここで、第１例では、注目画素の画像データの、前後２サブピクセル分のデータを使用したが、第２例では、現在の注目画素の画像データ「ｄｅｆ」と、その１サブピクセル前の画像データ「ｃ」と、その１サブピクセル後の画像データ「ｇ」とを用いる。つまり、注目画素を中心にして、第１の方向について、計５サブピクセルの画像データを用いる。
【０１３７】
そして、フィルタリング処理手段８は、これらの５サブピクセルの画像データ「ｃｄｅｆｇ」を取り出し、各データを「０」又は「１」のビットとする。
【０１３８】
より詳しくは、フィルタリング処理手段８は、３倍画像データが２値画像であるときは、この「ｃｄｅｆｇ」なるデータは、元々「０」又は「１」のビット列であるから、各サブピクセルの画像データを、そのまま又はビット反転させて、用いる。
【０１３９】
一方、３倍画像データが多値画像であるときは、フィルタリング処理手段８は、予め設定された閾値を用いて、多値画像から２値のビット列を生成する。
【０１４０】
いずれにしても、５桁の２値のビット列が生成される。そして、フィルタリング処理手段８は、このビット列を、実施の形態３と同様に、５ビットのアドレスとして使用する。
【０１４１】
これに対応するため、第１例では、図１３に示しているように、５ビットのアドレスに対応して、ＲＧＢ値が定められた、テーブルが用意されており、このテーブルがフィルタ結果記憶手段９に格納されている。
【０１４２】
つまり、フィルタリング処理手段８は、注目画素を中心にして、５ビットのビット列を生成し、これをアドレスとして、フィルタ結果記憶手段９のテーブルを参照すれば、直ちに、注目画素のＲＧＢ値「ＲＧＢ」を得ることができる。そして、このＲＧＢ値「ＲＧＢ」を、表示画像記憶手段７の、該当領域へ書き込むのである。
【０１４３】
この書き込みが終了したら、フィルタリング処理手段８は、注目画素を１画素（３サブピクセル）分、更新する。つまり、図１３に示す状態では、図１３の横矢印で示すように、３サブピクセル分だけ、注目画素がシフトし、次の注目画素では、「ｆｇｈｉｊ」という画像データに基づいて、次のＲＧＢ値「Ｒ’Ｇ’Ｂ’」が、次の画素に対応する領域へ書き込まれる。
【０１４４】
このようにすると、第１例と同様に、フィルタ処理を、１画素（３サブピクセル）単位で、まとめて、行うことができ、アドレス参照とテーブル検索の回数を削減して、一層、高速な処理を実現できる。また、５ビットのアドレスを用いると、ＲＧＢ値の組み合わせは、３２個であり、第１例よりも少ないテーブル量で対応できる。
【０１４５】
次に、図１４を参照しながら、実施の形態４（「第１例」、「第２例」共通）における、表示方法の各プロセスを説明する。まず、ステップ３１〜３２では、図１のステップ１〜３と同様の処理が行われる。
【０１４６】
但し、上述したように、処理対象を、１画素（３サブピクセル）単位で更新するので、注目位置は、画素単位で、初期化される（ステップ３３）。
【０１４７】
次に、ステップ３４では、フィルタリング処理手段８が３倍画像データ記憶手段４から注目画素を中心としたサブピクセルのビット列を取得し、これをアドレスとする。
【０１４８】
そして、ステップ３５では、フィルタ結果記憶手段９にある、上述したテーブルを参照し、このアドレスの処理結果を得る。
【０１４９】
そして、ステップ３６〜４０では、図１のステップ５〜９と同様の処理が行われる。但し、本形態では、ステップ３７、３８において、処理対象を、１画素（３サブピクセル）分ずつシフトするから、注目位置は、画素単位で、更新されてゆく。
【０１５０】
次に、図１５を参照しながら、本発明の実施の形態５について説明する。実施の形態５は、実施の形態４をさらに発展させたものであり、カラー表示に対応できる。
【０１５１】
さて、実施の形態４（「第１例」又は「第２例」のいずれでも良い）によると、図１２，図１３を用いて説明したように、テーブル参照のみにより、フィルタリング処理手段８は、注目画素のＲＧＢ値「ＲＧＢ」を得ることができる。
【０１５２】
ここで、実施の形態５では、フィルタリング処理手段８は、実施の形態４の処理に加え、このＲＧＢ値「ＲＧＢ」に、次に示す、式（１）〜（３）によって、背景色と前景色の色のブレンド処理を行い、カラー表示に対応して、注目画素のＲＧＢ値「Ｒ＃Ｇ＃Ｂ＃」を得るものである。
【０１５３】
Ｒ＃  ＝  Ｒ×Ｒｆ＋（１−Ｒ）×Ｒｂ      （１）
Ｇ＃  ＝  Ｇ×Ｇｆ＋（１−Ｇ）×Ｇｂ      （２）
Ｂ＃  ＝  Ｂ×Ｂｆ＋（１−Ｂ）×Ｂｂ      （３）
【０１５４】
但し、式（１）〜（３）において、（Ｒｆ，Ｇｆ，Ｂｆ）は前景色であり、（Ｒｂ，Ｇｂ，Ｂｂ）は背景色である。ここで、本形態において、ブレンディングしたものは、Ｒ＃Ｇ＃Ｂ＃の値であり、この値は、フィルタ処理結果記憶手段９に格納される。
【０１５５】
勿論、式（１）〜（３）は、好ましい一例にすぎず、本発明はこれらの式に限定されるものではない。例えば、各色成分に、適当な重み付けを加えるなど、種々変更しても差し支えない。
【０１５６】
以上のように、色のブレンド処理を行うことによって、カラー表示に対応した、サブピクセル表示を実現できる。
【０１５７】
なお、以上の説明において、フィルタリング処理手段８が、前景色又は背景色の一方又は双方についての情報を得る、情報供給元は、典型的には、表示情報入力手段１であるが、これに限られず、任意に選択できる。
【０１５８】
【発明の効果】
本発明によれば、ＲＧＢ３原色の輝度貢献度に合わせて、エネルギー分配して、サブピクセル表示を行うため、色むらが少なく高品位にサブピクセル表示できる。
【０１５９】
また、本発明によれば、高品位なサブピクセル表示を、高速化できる。
【図面の簡単な説明】
【図１】本発明の一実施の形態における表示装置のブロック図
【図２】本発明の実施の形態１における表示装置のフローチャート
【図３】本発明の実施の形態２における表示装置のフローチャート
【図４】（ａ）本発明の一実施の形態における係数の説明図
（ｂ）本発明の一実施の形態における係数の説明図
（ｃ）本発明の一実施の形態における係数の説明図
【図５】（ａ）本発明の一実施の形態における係数の説明図
（ｂ）本発明の一実施の形態における係数の説明図
（ｃ）本発明の一実施の形態における係数の説明図
【図６】（ａ）本発明の一実施の形態における係数の説明図
（ｂ）本発明の一実施の形態における係数の説明図
（ｃ）本発明の一実施の形態における係数の説明図
【図７】（ａ）本発明の一実施の形態における係数の説明図
（ｂ）本発明の一実施の形態における係数の説明図
（ｃ）本発明の一実施の形態における係数の説明図
【図８】本発明の実施の形態３における表示装置のブロック図
【図９】（ａ）本発明の実施の形態３におけるテーブルの説明図
（ｂ）本発明の実施の形態３におけるテーブルの例示図
（ｃ）本発明の実施の形態３におけるテーブルの例示図
（ｄ）本発明の実施の形態３におけるテーブルの例示図
（ｅ）本発明の実施の形態３におけるテーブルの例示図
【図１０】（ａ）本発明の実施の形態３におけるテーブルの説明図
（ｂ）本発明の実施の形態３におけるテーブルの例示図
（ｃ）本発明の実施の形態３におけるテーブルの例示図
【図１１】本発明の実施の形態３における表示方法のフローチャート
【図１２】本発明の実施の形態４（第１例）におけるフィルタリング処理の説明図
【図１３】本発明の実施の形態４（第２例）におけるフィルタリング処理の説明図
【図１４】本発明の実施の形態４における表示方法のフローチャート
【図１５】本発明の実施の形態５における色ブレンド処理の説明図
【図１６】従来の１ライン模式図
【図１７】従来の元画像の例示図
【図１８】従来の３倍画像の例示図
【図１９】従来の色決定プロセスの説明図
【図２０】（ａ）従来のフィルタリング処理係数の説明図
（ｂ）従来のフィルタリング処理結果の例示図
【図２１】従来のフィルタリング処理係数の説明図
【符号の説明】
２  表示制御手段
３  表示デバイス
４  表示画像記憶手段
５  フィルタリング処理手段
６  補正手段
７  ３倍画像データ記憶手段
９  フィルタ結果記憶手段
【図１】
0003646981.tif 000002
【図２】
0003646981.tif 000003
【図３】
0003646981.tif 000004
【図４】
0003646981.tif 000005
【図５】
0003646981.tif 000006
【図６】
0003646981.tif 000007
【図７】
0003646981.tif 000008
【図８】
0003646981.tif 000009
【図９】
0003646981.tif 000010
【図１０】
0003646981.tif 000011
【図１１】
0003646981.tif 000012
【図１２】
0003646981.tif 000013
【図１３】
0003646981.tif 000014
【図１４】
0003646981.tif 000015
【図１５】
0003646981.tif 000016
【図１６】
0003646981.tif 000017
【図１７】
0003646981.tif 000018
【図１８】
0003646981.tif 000019
【図１９】
0003646981.tif 000020
【図２０】
0003646981.tif 000021
【図２１】
0003646981.tif 000022